(57)【要約】【課題】  製品コストが低い断熱板付建築用パネルの製造方法を提供する。【解決手段】  相隣る２本の柱の中心間長さに等しい寸法の面板１５と、横寸法が面板１５と略等しい寸法の断熱板２とを用意し、断熱板２の片面の前記柱の幅の約１／２幅に相当する幅の両側部分と間柱の幅に相当する中間部分とに縦長帯状の接着剤の無い部分が残されるように接着剤を塗布してこれを面板１５に接着後、断熱板２の左右の柱の内面位置に相当する線上と、間柱の両側面位置に相当する線上とに縦切込を入れて断熱板２のうち前記した接着剤の無い部分を除去して、面板１５の片面のうち両側部分、中間の前記間柱の幅に相当する部分のいずれにも断熱板のない部分が残された断熱板付建築用パネル２０とする。【選択図】    図１
2005264445.tif 000002
【特許請求の範囲】
【請求項１】
建物に立設された相隣る２本の柱間が覆われるように両柱の片面に両端をもって張り付けられる面板の片面に両柱とその中間に立設された間柱との間に嵌合される断熱板が貼着一体化されている断熱板付建築用パネルの製造方法であって、相隣る２本の柱の中心間の寸法と略等しい寸法の面板と、横寸法は面板と略等しい寸法の断熱板とを用意し、断熱板の片面の前記柱の幅の約１／２幅に相当する幅の両側部分と間柱の幅に相当する中間部分とに縦長帯状の接着剤の無い部分が残されるように接着剤を塗布し、この断熱板を面板の片面に接着後、断熱板の左右の柱の内面位置に相当する線上と、間柱の両側面位置に相当する線上とに縦切込を入れて、断熱板のうち前記した接着剤の無い部分を除去することにより、面板の片面のうち両側部分、中間の前記間柱の幅に相当する部分のいずれにも断熱板のない部分が残された断熱板付建築用パネルとする断熱板付建築用パネルの製造方法。    
【請求項２】
断熱板の縦寸法を面板の縦寸法より若干短いものとしておく請求項１の断熱板付建築用パネルの製造方法。
【請求項３】
断熱板の片面への接着剤の塗布を、柱と間柱間距離に相当する幅を有し、且つ間柱幅分離隔して配置される左右の糊付けゴムローラを有する糊付機で行う請求項１または２の断熱板付建築用パネルの製造方法。
【発明の詳細な説明】
【技術分野】
【０００１】
本発明は主として木造建築物の構造材としての機能を有するとともに断熱機能を有する断熱板付建築用パネルの製造方法に関するものである。
【背景技術】
【０００２】
従来のこの種の断熱板付建築用パネルは、針葉樹合板や無機質エンジニアリング板、中質繊維板（ＭＤＦ）またはオリエンテッド・ストランド・ボード（ＯＳＢ）等よりなる面板の片面にポリスチレンフォーム板やポリウレタンフォーム板その他の断熱板を接着したものを普通とする。
【０００３】
このような断熱板付建築用パネルを製造するには、面板の片面に断熱板を全面的に接着剤を塗布してこれに断熱板を貼り合わせ接着することにより行われる。しかし、断熱板は建築物の隣接する左右の柱と間柱間の凹部に嵌合されるため、面板に接着された断熱板の両側、すなわち左右の柱の約１／２幅分と柱間に配設される間柱幅分と上下、すなわち木造建築物の桁や床部材に嵌合させる部分を除去しなければならなかった。この除去作業はポリスチレンフォーム板のように熱で容易に切断できるものは４本の電熱線を張架させた電熱カッタで、左右の柱の約１／２幅位置と間柱幅位置および桁位置と床部材位置を熱溶断して切り込みを入れる。続いて切り込みが入れられた左右の柱の約１／２幅分と間柱幅分および桁位置と床部材位置をカッタ工具等で削り取って面板面を露呈させる必要があった。この除去作業は手作業で行なうこととなるが、除去する枠状部分全てが接着されているため手間と多くの時間がかかるという問題があった。しかも、手作業による削り落とし作業で面板の損傷がしばしば発生することにより歩留まりが低下し利益率が低下するという問題があった。
【０００４】
そこで断熱板と同一材質の枠材を設け、該枠材内に発泡樹脂材料を充填して発泡させることにより、断熱板の削り取りによる廃棄物の発生をなくしたものがある（例えば、特許文献１参照）。しかしながら、発泡樹脂材料を充填発泡させるには成形設備が必要となるので、成形設備費および成形設備を稼動させることによるランニングコスト、成形設備の保守管理等により製品コストが上昇するという問題があった。しかも、建築用パネルのサイズに応じて複数の枠材を成形する成形設備も必要となり、さらに成形された枠材を保管する倉庫等も必要となることから製品コストを大幅に上昇させるという問題があった。
【特許文献１】特開２００１−９８６５８号公報）
【発明の開示】
【発明が解決しようとする課題】
【０００５】
本発明が解決しようとする問題点は、手作業による削り落しでは生産性が悪いうえに歩留まりが低下して製品のコストダウンが図りにくく、また、発泡成形によるものでは成形設備費がかかるうえに成形設備にかかるランニングコストにより製品コストが上昇し競争力が低下するので、この問題を解決して手作業をなるべく少なくしてコストダウンを図ることである。
【課題を解決するための手段】
【０００６】
上記の課題を解決した本発明は、建物に立設された相隣る２本の柱間が覆われるように両柱の片面に両端をもって張り付けられる面板の片面に両柱とその中間に立設された間柱との間に嵌合される断熱板が貼着一体化されている断熱板付建築用パネルの製造方法であって、相隣る２本の柱の中心間の寸法と略等しい寸法の面板と、横寸法は面板と略等しい寸法の断熱板とを用意し、断熱板の片面の前記柱の幅の約１／２幅に相当する幅の両側部分と間柱の幅に相当する中間部分とに縦長帯状の接着剤の無い部分が残されるように接着剤を塗布し、この断熱板を面板の片面に接着後、断熱板の左右の柱の内面位置に相当する線上と、間柱の両側面位置に相当する線上とに縦切込を入れて、断熱板のうち前記した接着剤の無い部分を除去することにより、面板の片面のうち両側部分、中間の前記間柱の幅に相当する部分のいずれにも断熱板のない部分が残された断熱板付建築用パネルとする断熱板付建築用パネルの製造方法を請求項１の発明とし、請求項１の発明において、断熱板の縦寸法を面板の縦寸法より若干短いものとしておく断熱板付建築用パネルの製造方法を請求項２の発明とし、請求項１また２の発明における断熱板の片面への接着剤の塗布を、柱と間柱間距離に相当する幅を有し、且つ間柱幅分離隔して配置される左右の糊付けゴムローラを有する糊付機で行う断熱板付建築用パネルの製造方法を請求項３の発明とするものである。
【発明の効果】
【０００７】
前記した本発明は、面板側ではなく断熱板の片面の必要部分にのみ接着剤を塗布してこの断熱板を面板に貼り合わせ接着し、その後、断熱板の左右の柱の内面位置と間柱の両側面位置に縦切込を入れて断熱板のうち片面の前記した接着剤の無い部分を覆っていた部分を除去することにより、面板裏面の両側部分と中間の前記間柱の幅に相当する部分がいずれも断熱板のない張り付け部分および間柱嵌合用凹部として残された断熱板付建築用パネルに形成するようにしたので、断熱板の不要部分の除去作業に要する時間を大幅に短縮でき生産性が向上でき、製品コストを低減することができることとなる。しかも、従来のように発泡成形設備を必要としないので設備費もかからないうえに、成形設備によるランニングコストもないので安価に製品を提供することができる。
また、請求項２によれば、断熱板と面板との縦寸法差分が面板の上下部分に断熱板のない部分として残されて接着されるので、単に接着するだけで、除去作業を完全に無くすことができる。
さらに、請求項３によれば、従来の糊付機を改造するだけで対応できて新規に設備を導入する必要がないので製品コストを上昇させることがない。
【発明を実施するための最良の形態】
【０００８】
次に、本発明方法を図に基づいて詳細に説明する。
図１は本発明で面板とともに用意する断熱板の製造工程であるポリスチレンよりなる断熱ブロック材１のスライス工程を示すものであり、該断熱ブロック材１は所定厚さにスライスされて複数枚の断熱板２となる。断熱板２の縦横サイズは後記する面板１５と略等しい大きさであるが、具体的には断熱板付建築用パネル２０の標準パネルサイズ（３０３０×９０５ｍｍ）、間崩れパネルサイズ（３０３０×８２８．５ｍｍ）、１／２パネルサイズ（３０３０×４５０ｍｍ）に合わせて標準サイズ、間崩れサイズと、１／２サイズのものがある。また、断熱板２の横寸法は各種面板１５の横幅と等しく（同一または僅かに長くても僅かに短くてもよい）している。断熱板２の縦寸法は各種面板１５の縦長より上下各５０ｍｍ短いものとしている。この上下各５０ｍｍ分の空間は断熱板付建築用パネル２０として壁構造を構築する際、木造建築物の桁や床部材があってもこれに断熱板２が干渉することがないようにするものである。
【０００９】
図２、３は断熱板２の表面に接着剤を塗布する糊付工程を示すものであり、この糊付工程で断熱板２の片面には間柱を除いた隣接する柱幅間に相当する部分に接着剤が塗布される。具体的には糊付機３により左右の柱４０の約１／２幅と隣接する柱間に配置される間柱４１の幅を除く表面全体に接着剤を塗布するもので、柱４０の約１／２幅と隣接する柱間に配置される間柱４１の幅は接着剤の無い部位となる。前記糊付機３は断熱板２を受けるガイドロール４と、断熱板２の表面に接着材を塗付する糊付けロール５と、該糊付けロール５に接着剤を供給する糊溜めロール６とからなる。
【００１０】
前記糊付機３の詳細は図１０、１１に示されるように、ベース１０に所定間隔をもって立設された左右フレーム１１と、該左右フレーム１１に張架されるガイドロール４と、該ガイドロール４と断熱板２の厚み分の間隔を隔てて対向される糊付けロール５と、該糊付けロール５の上方に配置される糊溜めロール６とからなる。前記ガイドロール４には断熱板２の厚みに応じて糊付けロール５との間隔を調整するための間隔調整機構７が設けられている。間隔調整機構７は図示しないモータを正逆回動および停止させることによりガイドロール４の左右軸受と連繋される高さ調整杆８が昇降動および停止を行ってガイドロール４の上下位置を調整するものである。該高さ調整杆８はガイドロール４が左右で昇降量に変動が生じないようにガイドロール４を連動させている。
【００１１】
また前記糊溜めロール６は左右一対の大ロール６ａと小ロール６ｂとからなり、該大ロール６ａと小ロール６ｂとは図示しない間隔調整機構によりロール間隔を調整自在としており、断熱板２への糊付作業終了後は、後記する左右の側蓋１２を外したうえ、間隔調整機構により大ロール６ａと小ロール６ｂとを離隔して洗浄を行ない、洗浄後エアブローで洗浄液を乾燥させることにより、大ロール６ａと小ロール６ｂとが接着剤の付着による汚損を防止している。また、糊溜めロール６は接着時は高速で回転して接着剤の供給不足が発生しないようにし、待機時は接着剤が乾燥することがないよう低速で回転させている。
【００１２】
９は糊溜めロール６の大ロール６ａと小ロール６ｂとを離隔させる間隔調整機構の操作ハンドルであり、該ハンドル９を右回転させると両ロールは接近し、左回転させると両ロールは離隔されるものとしている。１２、１２は大ロール６ａと小ロール６ｂとからなる糊溜めロール６の両端に取り付けられる側蓋であり、この側蓋１２、１２は押さえばね１２ａにより大ロール６ａと小ロール６ｂの両端に圧着されて大ロール６ａと小ロール６ｂ間に供給された接着剤が両側から流出することを防止している。さらに、側蓋１２は大ロール６ａと小ロール６ｂの間隔を設定する間隔調整板の機能を有するものである。
【００１３】
前記した糊付けロール５に取り付けられる左右のゴムロール５ａの幅は柱と間柱間距離とするとともに、左右のゴムローラ５ａ間は間柱幅分離隔されて配置されている。
【００１４】
図４は断熱板２を面板１５に接着するプレス接着工程を示すものであり、接着剤が塗布された断熱板２を重ねて、その複数組を重ね合わせてプレス機１６により圧着して同時に接着一体化する。接着一体化した断熱板２と面板１５は図５に示す。
【００１５】
図６は面板１５に接着された断熱板２のうち片面の前記した接着剤の無い部分を覆っていた部分に縦切込を入れる切断工程と面板１５の縦寸法より上下５０ｍｍ短い接着された部分に横切込みを入れる切断工程を示すものであり、前記した接着剤の無い部分は左右の柱の約１／２幅分と間柱の幅分である。この切込みは左右の柱４０の内面位置と間柱４１の両側面位置に配置される４本の電熱線を張設した電熱カッタ１７などにより行うものである。このようにして切り込みが行われた断熱板２の左右の柱１／２幅分と間柱幅分には接着剤が塗付されていない部位としてあるので、切断片は簡単に除去できることとなる。次いで接着されている上下部分を削り落しを行うが、両側と中間部は既に除去されているので容易に削り落とし作業を行うことができる。このようにして図７、８に示されるように面板裏面の両側部分と中間の前記間柱の幅に相当する部分と上下の桁と床部材に相当する部分がいずれも断熱板のない張り付け部分と間柱嵌合用凹部として残されて柱４０と間柱４１および桁と床部材とが嵌合できる断熱板付建築用パネル２０が完成されることとなる。
【００１６】
このようにして完成された断熱板付建築用パネル２０は、図９に示されるように、左右の断熱板２が建築物の柱４０と間柱４１間に介在されるよう配置させたうえ、釘やステープル打ち、接着などで張り付けて壁構造を順次構築してゆけばよいものである。
【００１７】
なお、前記好ましい実施の形態では、断熱板２の縦寸法を３０３０ｍｍとしているが、断熱板２の縦寸法より１００ｍｍ長い面板１５の片面に両板の寸法差分５０ｍｍが面板１５の上下部分に断熱板２のない部分として残されるように、例えば、標準パネルに必要とする２７５０ｍｍ、間崩れパネル、１／２パネルに必要とする２５７５ｍｍの大きさに予め切断しておけば、面板１５に断熱板２を接着して両側部分と中間部分を除去するだけで全く手作業による削り落としを行わなくても断熱板付建築用パネル２０を得ることができる。
【図面の簡単な説明】
【００１８】
【図１】本発明の好ましい実施の形態における断熱ブロック材のスライス工程を示す説明図である。
【図２】本発明の好ましい実施の形態における断熱板の表面に接着剤を塗布する糊付け工程を側面から示す側面説明図である。
【図３】本発明の好ましい実施の形態における断熱板の表面に接着剤を塗布する糊付け工程を正面から示す説明図である。
【図４】本発明の好ましい実施の形態における断熱板と面板とを接着するプレス接着工程を示す説明図である。
【図５】本発明の好ましい実施の形態における断熱板を面板に接着した状態を示す正面図である。
【図６】本発明の好ましい実施の形態における面板に接着された断熱板に切り込み入れる切断工程を示す正面図である。
【図７】本発明の好ましい実施の形態における完成した断熱板付建築用パネルを示す正面図である。
【図８】本発明の好ましい実施の形態における完成した断熱板付建築用パネルを示す平面図である。
【図９】本発明の好ましい実施の形態における断熱板付建築用パネルを木造建築物に貼り付けた状態を示す説明図である。
【図１０】本発明の好ましい実施の形態における糊付け機の平面図である。
【図１１】本発明の好ましい実施の形態における糊付け機の正面図である。
【符号の説明】
【００１９】
２  断熱板
３  糊付機
15  面板
【図１】
2005264445.tif 000003
【図２】
2005264445.tif 000004
【図３】
2005264445.tif 000005
【図４】
2005264445.tif 000006
【図５】
2005264445.tif 000007
【図６】
2005264445.tif 000008
【図７】
2005264445.tif 000009
【図８】
2005264445.tif 000010
【図９】
2005264445.tif 000011
【図１０】
2005264445.tif 000012
【図１１】
2005264445.tif 000013